(57)【要約】【課題】手間とコストをかけず安全且つ確実に表皮の端末部分を押え得るようにする。【解決手段】表皮１２と芯材とをセットした発泡型１６の型空間１７内に発泡剤を注入して所定時間型締め保持することにより、表皮１２と芯材との間に発泡層を発泡形成するよう構成された発泡成形装置１５であって、発泡型１６の型空間１７外の位置に、表皮１２の端末部分１８を真空吸引装置１９によって真空吸引し固定可能な真空吸引穴２１を設けると共に、真空吸引穴２１の開口部２２に、真空吸引穴２１に連通する孔部２３と、型表面から突出可能で孔部２３周辺の表皮１２に喰付可能なエッジ部２４とを有する真空駒２５を取付けるようにしている。【選択図】図２
2007098863.tif 000002
【特許請求の範囲】
【請求項１】
表皮と芯材とをセットした発泡型の型空間内に発泡剤を注入して所定時間型締め保持することにより、表皮と芯材との間に発泡層を発泡形成するよう構成された発泡成形装置において、
発泡型の型空間外の位置に、表皮の端末部分を真空吸引装置によって真空吸引し固定可能な真空吸引穴を設けると共に、
該真空吸引穴の開口部に、真空吸引穴に連通する孔部と、型表面から突出可能で孔部周辺の表皮に喰付可能なエッジ部とを有する真空駒を取付けたことを特徴とする発泡成形装置。
【請求項２】
前記真空駒が、真空吸引穴に対し、突出量調整機構を有して、エッジ部の型面に対する突出量を調整可能に取付けられたことを特徴とする請求項１記載の発泡成形装置。
【発明の詳細な説明】
【技術分野】
【０００１】
この発明は、発泡成形装置に関するものである。
【背景技術】
【０００２】
自動車などの車両には、車室内の前部にインストルメントパネルが設けられている。このようなインストルメントパネルには、表皮と芯材との間に発泡層を有する三層構造のものが存在している（例えば、特許文献１参照）。
【０００３】
このような三層構造のインストルメントパネルは、表皮と芯材とをセットした発泡型の型空間内に発泡剤を注入して所定時間型締め保持することにより、表皮と芯材との間に発泡層を発泡形成するようにして製造されている。
【０００４】
この際、上記した表皮は柔軟性のある材料で構成されているため、発泡型にセットしてから型締めが完了するまでの間などに、表皮にズレや浮きなどが生じることがあり、この状態で発泡成形を行うと、製品にシワやダレなどが生じて不良品となるおそれがある。
【０００５】
そこで、このような問題を防止するために、従来、発泡型の型空間外の位置にピンを設け、表皮の端末部分を伸ばすようにして上記ピンへ刺すことにより、表皮のズレや浮きなどを防止するようなことが行われていた。更に、上記ピンだけでは表皮を充分に押えきれないため、表皮の端末部分を紙テープなどで発泡型へ止めるようにしていた。
【０００６】
しかし、このようにピンを用いて表皮を張るようにした場合、誤ってピンに手を刺すおそれがあるため、作業性に問題があると共に、ピンだけでは表皮に対する押え効果が不十分であるため、表皮を更に紙テープで止めなければならず、その分、コストや手間がかかるという問題があった。
【０００７】
そこで、このような問題を解決するために、発泡型の型空間外の位置に、真空吸引穴を設け、この真空吸引穴を真空吸引装置に接続して真空吸引させることにより、表皮の端末部分を吸着固定することが検討されている。
【特許文献１】特開平１１−１５６８６８号公報
【発明の開示】
【発明が解決しようとする課題】
【０００８】
しかしながら、表皮の端末部分を真空吸引して固定させるようにする場合、例えば、図９に示すように、真空吸引穴１の穴径を表皮の厚みよりも小さくすると、表皮２の表面に形成された細かい凹凸による絞模様３を介して、表皮２の周辺部分を広く均等な状態で真空吸引することができる（面で吸着した状態となる）という利点があるが、その反面、得られる吸着力は弱いという問題がある。
【０００９】
反対に、図１０に示すように、真空吸引穴１の穴径を表皮２の厚みの数倍よりも大きくすると、表皮２が部分的に真空吸引穴１の中へ引き込まれてしまうと共にその周辺部分が浮いて大きな隙間４ができてしまうため、局所的な吸着状態となり（点で吸着した状態となる）、部分的には吸着力が高まるものの、表皮２を面で吸着する効果が得られなくなって、全体としての吸着力が弱まるという問題があった。
【課題を解決するための手段】
【００１０】
上記課題を解決するために、請求項１に記載された発明では、表皮と芯材とをセットした発泡型の型空間内に発泡剤を注入して所定時間型締め保持することにより、表皮と芯材との間に発泡層を発泡形成するよう構成された発泡成形装置において、発泡型の型空間外の位置に、表皮の端末部分を真空吸引装置によって真空吸引し固定可能な真空吸引穴を設けると共に、該真空吸引穴の開口部に、真空吸引穴に連通する孔部と、型表面から突出可能で孔部周辺の表皮に喰付可能なエッジ部とを有する真空駒を取付けた発泡成形装置を特徴としている。
【００１１】
請求項２に記載された発明では、前記真空駒が、真空吸引穴に対し、突出量調整機構を有して、エッジ部の型面に対する突出量を調整可能に取付けられた発泡成形装置を特徴としている。
【発明の効果】
【００１２】
請求項１の発明によれば、発泡型の型空間外の位置に設けた真空吸引穴を真空吸引装置に接続して真空吸引させることにより、表皮の端末部分を吸着させるようにする。この際、真空吸引穴の開口部に取付けた真空駒の孔部を介して表皮の端末部分に対する真空吸引が行われ、且つ、型表面から突出させたエッジ部が孔部周辺で表皮に喰付くことにより、表皮を確実に押えることが可能となる。以上により、手間とコストをかけず安全且つ確実に表皮の端末部分を押えることが可能となり、製品歩留りを向上することができる。
【００１３】
請求項２の発明によれば、突出量調整機構によって、真空駒に形成されたエッジ部の型面に対する突出量を調整させることにより、表皮に対するエッジ部の喰付力を調整して最適化を図ることが可能となる。
【発明を実施するための最良の形態】
【００１４】
手間とコストをかけず安全且つ確実に表皮の端末部分を押え得るようにするという目的を、発泡型の型空間外の位置に、表皮の端末部分を真空吸引装置によって真空吸引し固定可能な真空吸引穴を設けると共に、真空吸引穴の開口部に、真空吸引穴に連通する孔部と、型表面から突出可能で孔部周辺の表皮に喰付可能なエッジ部とを有する真空駒を取付ける、という手段で実現した。
【実施例】
【００１５】
以下、本発明を具体化した実施例について、図示例と共に説明する。
【００１６】
図１〜図８は、この発明の実施例を示すものである。
【００１７】
まず、構成を説明すると、自動車などの車両には、車室内の前部に、図１に示すような、インストルメントパネル１１が設けられている。このようなインストルメントパネル１１には、表皮１２（図２参照）と芯材との間に発泡層を有する三層構造を備えたもの（いわゆるソフトインストルメントパネル）があり、このような三層構造のインストルメントパネル１１は、図２に示すような発泡成形装置１５を用いて製造されている。この発泡成形装置１５は、表皮１２をセットした発泡型１６と、図示しない芯材をセットした発泡型との間に形成される型空間１７（図８参照）内に発泡剤（薬液）を注入して所定時間型締め保持することにより、発泡剤を発泡させて表皮１２と芯材との間に発泡層（発泡材）を形成するようにしたものである。
【００１８】
この実施例のものでは、図２、図８に示すように、発泡型１６の型空間１７外の位置に、表皮１２の端末部分１８を真空吸引装置１９によって真空吸引し固定（吸着）可能な真空吸引穴２１を設ける。
【００１９】
そして、真空吸引穴２１の開口部２２に、真空吸引穴２１に連通する孔部２３と、型表面から突出可能で孔部２３周辺の表皮１２に喰付可能なエッジ部２４とを有する真空駒２５を取付ける。この真空駒２５は、図３に示すように、真空吸引穴２１へ嵌着可能なほぼ円柱状をしている。真空駒２５の軸心部には、孔部２３が貫通形成されている。この孔部２３の穴径は、表皮１２の材質にもよるが、表皮１２の厚さ寸法のほぼ１．０〜２．０倍程度のものとする。また、エッジ部２４は、図４に示すように、真空駒２５の外端面に形成した突出部２６の縁部に形成されている。この突出部２６は、例えば、真空駒２５の本体部分と同心の短円柱状を呈しており、エッジ部２４は、孔部２３を中心とする円弧上に配設されている。エッジ部２４は、周方向に対して連続的なものとしても不連続なものとしても良い。ここで、突出部２６の外端面は、表皮１２に対する接触部２７となる。なお、図２に示すように、表皮１２の表面には細かい凹凸による絞模様２８が形成されている。また、真空吸引穴２１の開口部２２は、真空駒２５を取付けるために部分的に大径化されており、更に、開口部２２の入口部分には、エッジ部２４の外側部分に空隙を形成するための空隙形成部２２ａが設けられている。この場合、空隙形成部２２ａは、型表面へ向けて拡径するテーパ状とされている。
【００２０】
ここで、必要に応じ、図４に示すように、上記突出部２６に複数のエッジ部２４の間を通して真空吸引可能なリーク用凹部３１を形成するようにしても良い。図４では、リーク用凹部３１は、角溝とされているが、リーク用凹部３１は、例えば、図５に示すようなＵ溝３２としたり、図６に示すようなＶ溝３３としたり、図７に示すようなＵ溝３２とＶ溝３３との複合溝形状などとしたりすることができる。なお、リーク用凹部３１の深さや大きさは目的に応じて最適に設定する。また、リーク用凹部３１は、真空駒２５の半径方向へ放射状に形成するのが好ましい。リーク用凹部３１の放射方向は、任意とすることができる。図４では、放射方向は６方向とされている。
【００２１】
又、真空駒２５を、真空吸引穴２１に対し、突出量調整機構３５を有して、エッジ部２４の型面に対する突出量を調整可能に取付ける。
【００２２】
例えば、突出量調整機構３５は、図２、図３に示すように、真空駒２５の本体の外周部に形成した雄ネジ部３６、および、真空吸引穴２１に形成した雌ネジ部３７によって構成し、雄ネジ部３６と雌ネジ部３７との螺着の程度によって突出量を調整可能とすることができる。なお、突出量調整機構３５は、これ以外の構造であっても良い。
【００２３】
更に、図８に示すように、真空吸引穴２１を、発泡型１６の型空間１７外の位置に、複数設けるようにする。
【００２４】
この場合において、真空吸引穴２１の開口部２２間を連結溝４１で連結する。この連結溝４１は、型空間１７外の位置の型面に形成される。そして、連結された真空吸引穴２１のうちの少なくとも１箇所に、真空吸引装置１９を接続すると共に、真空駒２５のリーク用凹部３１をこの連結溝４１と合致させるようにする。なお、真空吸引装置１９は、全ての真空吸引穴２１に接続しても、連結された真空吸引穴２１のうちの数箇所に接続しても良いことは勿論である。
【００２５】
次に、この実施例の作用について説明する。
【００２６】
発泡型１６の型空間１７外の位置に設けた真空吸引穴２１を真空吸引装置１９に接続して真空吸引させることにより、表皮１２の端末部分１８を吸着させるようにする。これにより、発泡型１６にセットしてから型締めが完了するまでの間などに、表皮１２に浮きやズレなどが生じるのを防止できるようにする。
【００２７】
この実施例によれば、真空吸引穴２１の開口部２２に取付けた真空駒２５の孔部２３を介して表皮１２の端末部分１８に対する真空吸引が行われ、この際、型表面から突出させたエッジ部２４が孔部２３周辺で表皮１２に喰付くことにより、表皮１２を確実に押えることが可能となる。以上により、手間とコストをかけず安全且つ確実に表皮１２の端末部分１８を押えることが可能となり、製品歩留りを向上することができる。
【００２８】
ここで、この孔部２３の穴径を、表皮１２の厚さ寸法のほぼ１．０〜２．０倍程度とすることにより、良好な吸着状態を得ることができる。
【００２９】
また、開口部２２の入口部分に設けた空隙形成部２２ａによって、エッジ部２４の外側部分に空隙を形成し、空隙にて表皮１２を若干撓ませるようにしたことにより、エッジ部２４による表皮１２への喰付性を高めることが可能となる。
【００３０】
更に、エッジ部２４の間にリーク用凹部３１を設けることにより、表皮１２の表面に形成された細かい凹凸による絞模様２８を介して、表皮１２の周辺部分を均等な状態で真空吸引する効果が高められるため、より良好な吸着状態を得ることが可能となる。
【００３１】
加えて、突出量調整機構３５によって、真空駒２５に形成されたエッジ部２４の型面に対する突出量を調整させることにより、表皮１２に対するエッジ部２４の喰付力を調整して最適化を図ることが可能となる。
【００３２】
更に、真空吸引穴２１の開口部２２間を連結溝４１で連結し、真空駒２５のリーク用凹部３１をこの連結溝４１と合致させることにより、点と点とをつないで線とすることができるので、吸着範囲を広げることができる。また、真空吸引装置１９の接続箇所を減らして型構造を簡略化することができる。
【００３３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００３４】
【図１】本発明の実施例を適用するインストルメントパネルの正面図である。
【図２】本発明の実施例を説明する断面図である。
【図３】図２の真空駒の断面図である。
【図４】図３の真空駒の平面図である。
【図５】真空駒に形成するリーク用凹部の例を示す図である。
【図６】真空駒に形成するリーク用凹部の他の例を示す図である。
【図７】真空駒に形成するリーク用凹部の別の例を示す図である。
【図８】真空駒を取付けた真空型の斜視図である。
【図９】表皮の端末部分を小径の真空吸引穴で吸着させる状態を説明する断面図である。
【図１０】表皮の端末部分を大径の真空吸引穴で吸着させる状態を説明する断面図である。
【符号の説明】
【００３５】
１２  表皮
１５  発泡成形装置
１６  発泡型
１７  型空間
１８  端末部分
１９  真空吸引装置
２１  真空吸引穴
２２  開口部
２３  孔部
２４  エッジ部
２５  真空駒
３５  突出量調整機構
【図１】
2007098863.tif 000003
【図２】
2007098863.tif 000004
【図３】
2007098863.tif 000005
【図４】
2007098863.tif 000006
【図５】
2007098863.tif 000007
【図６】
2007098863.tif 000008
【図７】
2007098863.tif 000009
【図８】
2007098863.tif 000010
【図９】
2007098863.tif 000011
【図１０】
2007098863.tif 000012